(57)【要約】本発明は、少なくとも一枚のスライドドア（２、３）を有する家具（１）のスライドドア（２、３）におけるガイドアセンブリであって、家具（１）の本体（４）に配置されたガイドレール（５）に沿ってスライドドア（２、３）の変位の方向（Ｘ）に移動可能な少なくとも１つのサスペンションレバー（６）を備える、スライドドア（２、３）におけるガイドアセンブリに関する。また、このガイドアセンブリは、サスペンションレバー（６）に結合しているとともにスライドドア（２、３）に取り付けられた少なくとも１つのドア接続部（７）を備える。上記のドア接続部（７）は複数の部品を備え、このうち、第１のドア接続部品（７１）は、スライドドア（２、３）に固定して取り付けられ、サスペンションレバー（６）に接続された第２のドア接続部品（７２）は、第１のドア接続部品（７１）に、スライドドア（２、３）の変位の方向（Ｘ）に移動可能に接続されている。また本発明は、スライドドアと家具に関する。【選択図】図２
2016520741.tif 000002
【特許請求の範囲】
【請求項１】
家具（１）の家具本体（４）に配置されたガイドレール（５）に沿ってスライドドア（２、３）の変位の方向（Ｘ）に移動可能な少なくとも１つの支持レバー（６）と、前記支持レバー（６）に結合しているとともに前記スライドドア（２、３）に取り付けられた少なくとも１つのドア接続部（７）とを備える、少なくとも一枚の前記スライドドア（２、３）を有する前記家具（１）の前記スライドドア（２、３）におけるガイドアセンブリにおいて、
前記ドア接続部（７）が複数の部品で構成され、このうち、第１のドア接続部品（７１）が前記スライドドア（２、３）に固定して取り付けられ、前記支持レバー（６）に接続された第２のドア接続部品（２）が、前記第１のドア接続部品（７１）に、前記スライドドア（２、３）の変位の方向（Ｘ）に移動可能に接続されていることを特徴とする
ガイドアセンブリ。
【請求項２】
前記ドア接続部品（７１、７２）が、開いている状態における末端位置、および／または、閉じている状態における末端位置において、互いに対して固定され得ることを特徴とする
請求項１に記載のガイドアセンブリ。
【請求項３】
前記ドア接続部品（７１、７２）が、開いている状態における末端位置、および、閉じている状態における末端位置において、互いに対してラッチされ得ることを特徴とする
請求項２に記載のガイドアセンブリ。
【請求項４】
前記ドア接続部品（７１、７２）が、少なくとも１つの復元部品（７４）を介
して互いに接続され、前記復元部品（７４）が、前記ドア接続部品（７１、７２）の相対位置を、開いている状態における末端位置、および／または、閉じている状態における末端位置において、外部からの力を作用させることなく保持することを特徴とする
請求項２に記載のガイドアセンブリ。
【請求項５】
前記復元部品（７４）が、ばね部品として構成されていることを特徴とする
請求項４に記載のガイドアセンブリ。
【請求項６】
前記第１のドア接続部品（７１）と、前記第２のドア接続部品（７２）とが、ガイド部品として構成されていることを特徴とする
請求項１または２に記載のガイドアセンブリ。
【請求項７】
少なくとも１つの第３のドア接続部品が、前記第２のドア接続部品（７２）に、前記スライドドア（２、３）の変位の方向（Ｘ）に移動可能に接続されていることを特徴とする
前記のいずれか一項に記載のガイドアセンブリ。
【請求項８】
支持レバーの端部（６１）を受け入れる接続部品（７８）が、前記支持レバー（６）に接続された前記第２のドア接続部品（７２）に一体的に形成されていることを特徴とする
前記のいずれか一項に記載のガイドアセンブリ。
【請求項９】
前記支持レバー（６）の変位の間に前記ガイドレール（５）の中を移動する少なくとも１つのガイド部品（６２）が前記支持レバー（６）に取り付けられていることを特徴とする
前記のいずれか一項に記載のガイドアセンブリ。
【請求項１０】
前記ドア接続部品（７１、７２）が、互いに対して少なくとも距離（Ｓ）にわ
たって移動可能であり、前記距離（Ｓ）が、前記ガイドレール（５）に沿う前記支持レバー（６）の最大移動距離（Ｔ）より短い、前記第１のドア接続部品（７１）に接続された前記スライドドア（２、３）における前記スライド方向（Ｘ）の幅（Ｂ）に対応していることを特徴とする
前記のいずれか一項に記載のガイドアセンブリ。
【請求項１１】
前記ドア接続部品（７１、７２）が、互いに対して前記距離（Ｓ）にわたって精密に移動可能であり、前記距離（Ｓ）が、前記ガイドレール（５）に沿う前記支持レバー（６）の前記最大移動距離（Ｔ）より短い、前記第１のドア接続部品（７１）に接続された前記スライドドア（２、３）における前記スライド方向（Ｘ）の前記幅（Ｂ）に対応していることを特徴とする
前記のいずれか一項に記載のガイドアセンブリ。
【請求項１２】
少なくとも一枚のスライドドア（２、３）を家具（１）の家具本体（４）に対してガイドするためのガイドアセンブリを備える、前記少なくとも一枚のスライドドア（２、３）を有する前記家具（１）の前記スライドドア（２、３）において、
前記ガイドアセンブリが前記のいずれか一項の請求項に従って構成されていることを特徴とする
スライドドア。
【請求項１３】
少なくとも一枚のスライドドア（２、３）を家具（１）における少なくとも１つの前記家具本体（４）に対してガイドするための少なくとも１つのガイドアセンブリを有する、前記少なくとも一枚のスライドドア（２、３）を備える前記家具（１）において、
前記少なくとも一枚のスライドドア（２、３）が請求項１２に従って構成されて
いることを特徴とする
家具。
【発明の詳細な説明】
【技術分野】
【０００１】
本発明は、請求項１のプリアンブルによる少なくとも一枚のスライドドアを備える家具のスライドドアにおけるガイドアセンブリ、スライドドア、および家具に関する。
【背景技術】
【０００２】
スライドドアのキャビネットなどの家具におけるスライドドアに向けた一般的なガイドアセンブリは、従来技術による数多くの実施形態において知られている。  
これらのガイドアセンブリでは、スライドドアが、一般に１つまたは複数の支持レバーで吊られている。  
この支持レバーは、スライドドアに固定されるとともに、家具本体に固定されたガイドレールの中で家具の正面に沿って移動可能である。  
スライドドアに支持レバーを取り付けることにより、互いに対して平行に延びているトラックの上で、スライドドアを、一方が他方の上になるように摺動させることも可能である。
【０００３】
従来技術によって知られているスライドドアのガイドアセンブリに関しては、閉じた状態においてスライドドアによって覆われている家具の内部空間、すなわち収納空間の部分が、スライドドアを開く際に完全に開放されないという問題がある。  
これは、スライドドアのスライド部分が、家具のミドルウォールもしくはサイドウォールと支持レバーとの衝突、または、上方を上記のスライドドアが移動することになるさらなるドアと支持レバーとの衝突によって、制限されるためである。  
その結果、閉じた状態においてスライドドアによって覆われている収納空間における、幅全体にわたるアクセスは、可能ではなくなる。
【発明の概要】
【発明が解決しようとする課題】
【０００４】
本発明の目的は、家具の収納空間へのフルアクセスが可能となるように、ガイドアセンブリ、スライドドア、および、一般的なタイプの家具を改善することである。
【課題を解決するための手段】
【０００５】
本目的は、請求項１の特徴を有する、家具のスライドドアにおけるガイドアセンブリと、請求項１２の特徴を有するスライドドアと、請求項１３の特徴を有する家具とによって達成される。
【０００６】
本発明によるガイドアセンブリは、特に、支持レバーが結合しているドア接続部が複数の部品で構成され、このうち、第１のドア接続部品がスライドドアに固定して取り付けられ、支持レバーに接続された第２のドア接続部品が、第１のドア接続部品に、スライドドアのスライド方向に移動可能に接続されていることを特徴とする。
【０００７】
このことによって、家具本体の幅の方向における２つのドア接続部品の相対的な動きが可能となり、それによって、スライドドアを完全に開くための残りの距離が、２つのドア接続部品の互いに対する直線的な移動によって達せられる。  
いくつかの本体が互いに隣接しているとともに、一枚だけのドアによって閉じられる家具も存在する。  
このドアは、いくつかの家具本体にわたって移動可能である。
【０００８】
本発明の有利な実施形態は、従属請求項の主題である。
【０００９】
好ましい実施形態では、ドア接続部によってスライドドアを完全に開くためにカバーされる距離の大きさに応じて、少なくとも１つの第３のドア接続部品が、第２のドア接続部品に、スライドドアのスライド方向に移動可能に接続される。
【００１０】
このことによって、接続されているドア接続部品どうしが、カバーされる所定の距離において、ドア接続部品に作用するスライドドアの重量を容易に支え続けるために、十分に長い距離にわたって互いと係合することが確実なものとなる。
【００１１】
ドア接続部品どうしは、互いに対して少なくともある距離にわたって移動可能であり、この距離は、ガイドレールに沿う支持レバーの最大移動距離より短い、第１のドア接続部品に接続されたスライドドアの、変位の方向の幅に対応していることが好ましい。
【００１２】
このことによって、スライドドアが、少なくともスライドドアの幅に対応している距離の分だけ、ガイドアセンブリによって移動可能となることが確実なものとなる。
【００１３】
本発明における有利な実施形態によれば、ドア接続部品どうしは、少なくとも１つの復元部品を介して互いに接続され、この復元部品は、ドア接続部品どうしの相対位置を、開いている状態における位置、および／または、閉じている状態における位置において、外部からの力を作用させることなく保持する。
【００１４】
ドア接続部品どうしは、好ましくはばね部品として構成された復元部品によって、スライドドアが閉じた位置に対して該スライドドアが変位可能な所定の位置において、互いに対して保持される。
【００１５】
本発明におけるさらに好ましい実施形態によれば、ドア接続部品どうしは、開いている状態における位置、および／または、閉じている状態における位置において、互いに対して固定され、特にラッチされ得る。  
このことによって、互いに対して移動可能なドア接続部品どうしにおいて定められた状態と位置とが、それぞれ確実なものとなる。  
また、閉じた位置におけるラッチは、支持レバーが最大変位の位置に到達した時にのみ解除されるようにして構成されてもよい。  
たとえば、支持レバーにおける突起または他の部分が、ラッチと協働してもよい。
【００１６】
本発明によるスライドドアは、上記構成のガイドアセンブリを特徴とする。
【００１７】
これにより、本発明による家具は、対応して構成されたガイドアセンブリを有する少なくとも一枚のスライドドアを特徴とする。
【００１８】
以下では、添付図面を参照して本発明の実施形態をさらに詳しく説明する。
【図面の簡単な説明】
【００１９】
【図１】二枚のスライドドアを有する、本発明による家具の実施形態における概略的な斜視図である。
【図２】わずかに開いた位置における、２つの部分からなるドア接続部を有するスライドドアの、本発明によるガイドアセンブリの実施形態における斜視図である。
【図３】閉じているスライドドアと共に、図２のガイドアセンブリを示す図である。
【図４】依然として不完全に開いた状態におけるスライドドアを有する家具の上面図である。
【図５】図４において参照記号Ｖで示されているガイドアセンブリの部分の詳細図である。
【図６】図５に示されているガイドアセンブリの位置における斜視図である。
【図７】完全に開いた状態における、図４に相当する家具およびガイドアセンブリの図である。
【図８】完全に開いた状態における、図５に相当する家具およびガイドアセンブリの図である。
【図９】完全に開いた状態における、図６に相当する家具およびガイドアセンブリの図である。
【発明を実施するための形態】
【００２０】
図面における以下の説明では、上、下、左、右、前、後ろなどの用語は、図面において選択されているガイドアセンブリの例示的な図と位置とに排他的に関係するものである。  
これらの用語は限定して理解されるべきではなく、言い替えれば、これらの用語による参照は、様々な動作位置や鏡対称的な解釈（ｍｉｒｒｏｒ−ｓｙｍｍｅｔｒｉｃａｌ  ｉｎｔｅｒｐｒｅｔａｔｉｏｎ）などによって変わる場合がある。
【００２１】
図１では、スライドドア２、３を有する家具が、全体において参照番号１で示されている。  
これらのスライドドアは、閉じた位置にあり、たとえばスライドドアのキャビネットの形態である家具１を、同一平面となる状態で閉じている。
【００２２】
スライドドア２、３の一方は、図１に示されている家具１を開くために、まず他方のスライドドア２、３と共通の面から、これに平行な別の面まで、閉じている位置より、旋回するか、または、ずれて移動し、次に、家具１の正面と平行に、第２のスライドドア２、３の前に押される。
【００２３】
家具１が、一枚だけのスライドドア２、３を用いて構成されていてもよいことは明らかである。
【００２４】
スライドドア２、３は、図２から図９に示されているように、家具１の本体４にガイドアセンブリによって取り付けられている。  
このガイドアセンブリは、スライドドア２、３に取り付けられたドア接続部７を含む。  
ドア接続部７は、家具１の内部空間、すなわち収納空間に面している、スライドドア２、３の内側面に取り付けられている（たとえば、ねじ留めされている）。
【００２５】
このドア接続部７には支持レバー６が取り付けられ、この支持レバー６は、好ましくは家具１の幅全体にわたって延びているとともに家具１の本体４の本体上面４１または本体底面４２に取り付けられたガイドレール５の上に移動可能に配置されている。  
このため、支持レバー６には、ペアで対向しているとともにガイドレール５のガイド溝５１の中を移動する移動ホイール６２が取り付けられていることが好ましい。  
ガイドレールという用語は、できるだけ広範に理解されたい。  
本願によれば、ガイドレールは、突出しているレールだけでなく、溝や他のガイドトラックも含む。  
ガイドレールにおける別の実施形態では、１つだけ、または３つ以上の移動ホイールを用いることも可能である。  
ガイドフィティングにおける、この少なくとも１つのガイド部品は、スライダ、ローラなどとして構成されていてもよい。
【００２６】
ドア接続部７は、図２および図３に特に詳しく示されているように、いくつかの部品で構成されている。  
第１のドア接続部品７１は、スライドドア２、３に固定して取り付けられていてもよく、たとえば、家具１の収納空間に面しているスライドドア２、３の内側面に、ねじ７７によってねじ留めされている。
【００２７】
支持レバー６に接続された第２のドア接続部品７２は、第１のドア接続部品７１に、スライドドア２、３の変位の方向Ｘに移動可能に接続されている。  
このことにより、スライドドア２、３の変位の際に、支持レバー６が、さらなるスライドドア、または家具本体４のサイドウォール４３、４４に当たる、支持レバー６の末端位置に上記のさらなるスライドドア２、３が接した時に、支持レバー６をガイドレール５に沿って移動させることにより、スライドドア２、３が、複数の部分からなる、すなわち２つの部分からなるドア接続部７によって、スライドドア２、３の変位の方向Ｘにさらなる距離Ｓの分だけ移動し得ることが確実なものとなる。
【００２８】
第１のドア接続部品７１と、第２のドア接続部品７２とは、互いに対して直線的に移動可能な、引き出し式のガイド部品として構成されていることが好ましい。  
この、直線的に移動できる能力は、スライダ、ローラ、ボールなどによって実現されてもよい。
【００２９】
支持レバー６は、ドア接続部７に近い端部６１に対して、支持レバーの端部６１を受け入れる、第２のドア接続部品７２における接続部品７８によって接続されている。  
図示されている実施形態では、上記の接続部品７８は、実質的にＵ字形の金属板部品として構成され、支持レバー６の端部６１を３つの面から取り囲むことにより、ドア接続部７と支持レバー６との安定した接続を確実なものにしている。
【００３０】
接続部品７８は、図５および図６に示されているようにスロットを備える。  
このため、家具に向けたガイドアセンブリは、様々な設置幅Ｅに対して用いることができる。  
このフレキシビリティは、別の方法で実現されてもよく、たとえば、支持レバーがいくつかの固定用のくぼみを有することによって実現されてもよい。
【００３１】
図２から図６には、ドア接続部品７１、７２の互いに対する初期位置が示されており、ドア接続部７１、７２は、この場合には互いに最大の範囲まで移動する。  
ドア接続部品７１、７２は、図７から図９に示されている位置においてのみ、スライドドア２、３のスライド方向に押されて離される。  
この場合には、スライドドア２、３が十分に開くため、移動したスライドドア２、３の幅全体にわたる、家具１の収納空間へのアクセスが可能となる。
【００３２】
ドア接続部品７１、７２は、最大限に開かれる端部位置まで移動する前に、その最大限の範囲に対してドア接続部品７１、７２が引っ込められた位置を保持するために、好ましくはばね部品として構成された復元部品７４を介して互いに接続されている。  
この場合、復元部品７４は、図２および図３に例として示されているように、ドア接続部品７１、７２の相対位置を、外部から力を作用させることなく保持している。
【００３３】
ここでは引張ばねとして示されている復元部品７４は、第１のドア接続部品７１における保持部品７６の第１の端部と、第２のドア接続部品７２における保持部品７５の第２の端部とによって留められているため、２つのドア接続部品７１、７２が摺動して離れる動きは、引張ばねとして構成された復元部品７４のばねの力に逆らって生じる。
【００３４】
図２および図３に示されているように、一方で、閉じている位置においてドア接続部７を保持するとともに、他方で、図７から図９に示されているように、完全に引き出した位置においてドア接続部７を保持するために、ドア接続部品７１、７２は、上記のそれぞれの位置において互いに対して相対的に固定されてもよく、言い替えれば、これらの位置において、たとえばリミットストップ（ｌｉｍｉｔ  ｓｔｏｐ）などの末端位置部品（ｅｎｄ  ｐｏｓｉｔｉｏｎ  ｃｏｍｐｏｎｅｎｔ）によって、特にラッチされてもよく、あるいは固定されてもよい。
【００３５】
ドア接続部品７１、７２が互いに対して移動可能な距離Ｓは、ガイドレール５に沿う支持レバー６の最大移動距離Ｔより短い、変位の方向Ｘにおける、第１のドア接続部品７１に接続されたスライドドア２、３の幅Ｂに少なくとも対応している。
【００３６】
特に、ドア接続部品７１、７２によってのみ変位し得る、スライドドア２、３の距離Ｓは、上記の距離に精密に対応している。  
この距離Ｓは、支持レバー６の移動に対する障害物に達したとしても、閉じた状態においてスライドドア２、３によって覆われている、家具１の収納空間の領域が幅全体にわたってアクセス可能となる程度までスライドドア２、３の移動を可能とするのに十分なものである。
【００３７】
図２および図３に示されているように、ガイドレール５は、一方の端部においては、キャリッジ９に固定された拡張部品８によって延びている。  
このキャリッジ９は、ガイドレール５の長手方向に対して垂直に移動可能であるため、スライドドア２、３は、家具１の本体４の正面側に向かって引かれ得る。
【符号の説明】
【００３８】
１  家具
２，３  スライドドア
４  本体
４１  上面
４２  底面
４３  サイドウォール
４４  サイドウォール
５  ガイドレール
５１  ガイド溝
６  支持レバー
６１  端部
６２  移動ホイール
７  ドア接続部
７１  第１のドア接続部品
７２  第２のドア接続部品
７４  復元部品
７５  保持部品
７６  保持部品
７７  ねじ
７８  接続部品
８  拡張部品
９  キャリッジ
Ｂ  幅
Ｅ  設置幅
Ｓ  距離
Ｔ  最大移動距離
Ｘ  変位の方向
【図１】
2016520741.tif 000003
【図２】
2016520741.tif 000004
【図３】
2016520741.tif 000005
【図４】
2016520741.tif 000006
【図５】
2016520741.tif 000007
【図６】
2016520741.tif 000008
【図７】
2016520741.tif 000009
【図８】
2016520741.tif 000010
【図９】
2016520741.tif 000011
【国際調査報告】
2016520741.tif 000012
2016520741.tif 000013
2016520741.tif 000014
2016520741.tif 000015